(57)【要約】【課題】大型化させることなく耐衝撃性を向上させた撮影レンズ鏡筒を提供する。【解決手段】撮影レンズ鏡筒２は、１群鏡筒７のフォロワピン７ａと係合するカム溝１０ａを有するカム環１０と、カム環１０によって光軸方向に移動する絞りユニット８及び２群鏡筒９と、カム環１０と一体的に光軸方向に移動し、１群鏡筒７と絞りユニット８と２群鏡筒９を直進規制する直進筒１１とを有する。絞りユニット８に被写体側に突出する第１の突起部８ａと外径側に突出する第２の突起部８ｂを設け、２群鏡筒９に撮像面側に突出する第３の突起部９ａと外径側に突出する第４の突起部９ｂを設け、第１乃至第４の突起部をフォロワピン７ａと略同一位相に配置する。広角位置と望遠位置との間で移動する間に、フォロワピン７ａの内側を受ける位置が、第２の突起部８ｂと第４の突起部９ｂを挟んで第１の突起部８ａと第３の突起部９ａとの間で移動する構成とする。【選択図】図３
2015028526.tif 000002
【特許請求の範囲】
【請求項１】
第１のレンズ群を保持し、外径側の少なくとも３箇所にフォロワピンが設けられた第１のレンズ保持枠と、
前記第１のレンズ保持枠の外径側に配置され、前記フォロワピンが係合するカム溝を有するカム環と、
前記第１のレンズ保持枠の内径側に配置され、前記カム環によって光軸方向に移動する光量調整部材と、
第２のレンズ群を保持し、前記第１のレンズ保持枠の内径側に配置されると共に前記光量調整部材の撮像面側に配置され、前記カム環によって光軸方向に移動する第２のレンズ保持枠と、
前記カム環と一体的に光軸方向に移動し、前記第１のレンズ保持枠と前記光量調整部材と前記第２のレンズ保持枠とを光軸方向に案内する直進溝を有する直進筒とを備える撮影レンズ鏡筒であって、
前記光量調整部材は、被写体側に突出する第１の突起部と、前記第１の突起部と光軸方向の撮像面側につながって外径側に突出する第２の突起部とを有し、
前記第２のレンズ保持枠は、撮像面側に突出する第３の突起部と、前記第３の突起部と光軸方向の被写体側につながって外径側に突出する第４の突起部とを有し、
前記第１乃至第４の突起部は、前記フォロワピンの位相と略同一位相に配置され、
前記撮影レンズ鏡筒が広角位置と望遠位置との間で移動する間に、前記フォロワピンの内側を受ける位置が、前記第２の突起部と前記第４の突起部を挟んで前記第１の突起部と前記第３の突起部との間で移動することを特徴とする撮影レンズ鏡筒。
【請求項２】
第１のレンズ群を保持し、外径側の少なくとも３箇所にフォロワピンが設けられた第１のレンズ保持枠と、
前記第１のレンズ保持枠の外径側に配置され、前記フォロワピンが係合するカム溝を有するカム環と、
前記第１のレンズ保持枠の内径側に配置され、前記カム環によって光軸方向に移動する光量調整部材と、
第２のレンズ群を保持し、前記第１のレンズ保持枠の内径側に配置されると共に前記光量調整部材の被写体側に配置され、前記カム環によって光軸方向に移動する第２のレンズ保持枠と、
前記カム環と一体的に光軸方向に移動し、前記第１のレンズ保持枠と前記光量調整部材と前記第２のレンズ保持枠とを光軸方向に案内する直進溝を有する直進筒とを備える撮影レンズ鏡筒であって、
前記光量調整部材は、撮像面側に突出する第１の突起部と、前記第１の突起部と光軸方向の被写体側につながって外径側に突出する第２の突起部を有し、
前記第２のレンズ保持枠は、被写体側に突出する第３の突起部と、前記第３の突起部と光軸方向の撮像面側につながって外径側に突出する第４の突起部とを有し、
前記第１乃至第４の突起部は、前記フォロワピンの位相と略同一位相に配置され、
前記撮影レンズ鏡筒が広角位置と望遠位置との間で移動する間に、前記フォロワピンの内側を受ける位置が、前記第２の突起部と前記第４の突起部を挟んで前記第１の突起部と前記第３の突起部との間で移動することを特徴とする撮影レンズ鏡筒。
【請求項３】
前記第１乃至第４の突起部は、前記フォロワピンの位相と略同一位相の位置に加えて、前記フォロワピンと対向する位置にも配置されていることを特徴とする請求項１又は２に記載の撮影レンズ鏡筒。
【請求項４】
前記直進筒は、前記第１のレンズ保持枠の内径側に配置されることを特徴とする請求項１乃至３のいずれか１項に記載の撮影レンズ鏡筒。
【請求項５】
前記直進筒は、前記第１のレンズ保持枠の外径側に配置されることを特徴とする請求項１乃至３のいずれか１項に記載の撮影レンズ鏡筒。
【請求項６】
前記光量調整部材は、絞り機構を有することを特徴とする請求項１乃至５のいずれか１項に記載の撮影レンズ鏡筒。
【請求項７】
前記光量調整部材は、シャッタ機構を有することを特徴とする請求項１乃至５のいずれか１項に記載の撮影レンズ鏡筒。
【請求項８】
請求項１乃至７のいずれか１項に記載の撮影レンズ鏡筒を備えることを特徴とする撮像装置。
【発明の詳細な説明】
【技術分野】
【０００１】
本発明は、撮影レンズ鏡筒を備えるフィルムカメラやデジタルカメラ等の撮像装置に関する。
【背景技術】
【０００２】
複数の光学レンズを光軸方向に移動させて撮影倍率を変更するズーム機構を備える撮影レンズ鏡筒が知られている。ズーム機構としては、例えば、光学レンズを保持するレンズ保持枠を回転するカム筒のカム溝に係合させると共に、直進筒によってレンズ保持枠の回転を規制して、レンズ保持枠を光軸に移動させるものがある。
【０００３】
このような撮影レンズ鏡筒では、衝撃等の外力が作用した際に部品間の係合が外れる等することのないように、耐衝撃性を高める必要がある。撮影レンズ鏡筒の耐衝撃性を高める方法としては、各部品の剛性を高めて撮影レンズ鏡筒全体を強固なものにする方法や、撮影レンズ鏡筒の部品の一部に弾性部材を用い、また、緩衝材を充填することによって衝撃を吸収する方法が知られている。
【０００４】
耐衝撃性の向上のために部品の剛性を高める方法では、具体的には、より強固な材料を選択すること、部品の肉厚を増やすこと、或いは、衝撃に弱い部分の周辺部を補強すること等の方法が取られている。一方、衝撃に弱い部分の周辺部を補強する方法では、撮影レンズ鏡筒の構成自体や部品形状にも工夫がなされる。例えば、撮影レンズ鏡筒に落下等の衝撃が加わった際に各レンズ保持枠をカム駆動しているフォロワピンがカム環のカム溝から脱落しないように、前群レンズ保持枠のフォロワピンの内側を後群レンズ保持枠の外形で支える構成が提案されている（特許文献１参照）。このような関係を撮影レンズ鏡筒内の複数のレンズ群に適用して、レンズ保持枠同士が支え合う構造とすることにより、耐衝撃性を向上させて、衝撃時におけるカムフォロワの脱落を防ぎ、撮影レンズ鏡筒に対する信頼性を向上させることができる。
【先行技術文献】
【特許文献】
【０００５】
【特許文献１】特開２０１２‐２４２７２７号公報
【発明の概要】
【発明が解決しようとする課題】
【０００６】
しかしながら、上記特許文献１に記載された発明では、前群レンズ保持枠のフォロワピンの内側を後群レンズ保持枠の外形で支える構成となっているため、レンズ保持枠の肉厚が径方向に積み重なっていく。よって、その関係が複数のレンズ群で構成されればされるほど、前群レンズ保持枠の外径が大きくなってしまう。その結果、撮影レンズ鏡筒の外径が大型化し、ひいては撮像装置全体が大型化するという問題が生じる。
【０００７】
本発明は、大型化させることなく、落下等に対する耐衝撃性を向上させた撮影レンズ鏡筒を提供することを目的とする。
【課題を解決するための手段】
【０００８】
本発明に係る撮影レンズ鏡筒は、第１のレンズ群を保持し、外径側の少なくとも３箇所にフォロワピンが設けられた第１のレンズ保持枠と、前記第１のレンズ保持枠の外径側に配置され、前記フォロワピンが係合するカム溝を有するカム環と、前記第１のレンズ保持枠の内径側に配置され、前記カム環によって光軸方向に移動する光量調整部材と、第２のレンズ群を保持し、前記第１のレンズ保持枠の内径側に配置されると共に前記光量調整部材の撮像面側に配置され、前記カム環によって光軸方向に移動する第２のレンズ保持枠と、前記カム環と一体的に光軸方向に移動し、前記第１のレンズ保持枠と前記光量調整部材と前記第２のレンズ保持枠とを光軸方向に案内する直進溝を有する直進筒とを備える撮影レンズ鏡筒であって、前記光量調整部材は、被写体側に突出する第１の突起部と、前記第１の突起部と光軸方向の撮像面側につながって外径側に突出する第２の突起部とを有し、前記第２のレンズ保持枠は、撮像面側に突出する第３の突起部と、前記第３の突起部と光軸方向の被写体側につながって外径側に突出する第４の突起部とを有し、前記第１乃至第４の突起部は、前記フォロワピンの位相と略同一位相に配置され、前記撮影レンズ鏡筒が広角位置と望遠位置との間で移動する間に、前記フォロワピンの内側を受ける位置が、前記第２の突起部と前記第４の突起部を挟んで前記第１の突起部と前記第３の突起部との間で移動することを特徴とする。
【発明の効果】
【０００９】
本発明によれば、最も被写体側に配置されたレンズ保持枠のフォロワピンの内側を内部の光量調整装置或いはレンズ保持枠に設けた突起部等によって同一径で受ける。これにより、撮影レンズ鏡筒を大型化させることなく、落下等の耐衝撃性向上させることができる。また、撮像装置の使用領域である広角側から望遠側までの全領域で、部材を変えながら常にフォロワピンの内側を受ける構造としているため、どの画角（撮影位置）に対しても安定した耐衝撃性を得ることができる。
【図面の簡単な説明】
【００１０】
【図１】本発明の実施形態に係る撮像装置の外観斜視図である。
【図２】図１の撮像装置が備える撮影レンズ鏡筒の分解斜視図である。
【図３】図２の撮影レンズ鏡筒が備える絞りユニット及び２群鏡筒の斜視図である。
【図４】図３の絞りユニット及び２群鏡筒を被写体側から見た図（正面図）及び一部拡大図である。
【図５】図３の絞りユニット及び２群鏡筒を撮像面側から見た図（背面図）及び一部拡大図である。
【図６】図２の撮影レンズ鏡筒の沈胴状態を示す断面図である。
【図７】図２の撮影レンズ鏡筒が、ＷＩＤＥ位置にあり、且つ、通常状態にあるときの断面図である。
【図８】参考例に係る撮影レンズ鏡筒が、図７と同様のＷＩＤＥ位置にあり、且つ、被写体側から衝撃力が加えられた状態にあるときの断面図である。
【図９】図２の撮影レンズ鏡筒が、ＴＥＬＥ位置にあり、且つ、通常状態にあるときの断面図である。
【図１０】参考例に係るレンズ鏡筒が、図９と同じＴＥＬＥ位置にあり、且つ、被写体側から衝撃力が加えられた状態にあるときの断面図である。
【図１１】図２撮影レンズ鏡筒の変形例である撮影レンズ鏡筒が撮影時の状態の１つであるＷＩＤＥ位置にあるときの断面図である。
【図１２】図１２の撮影レンズ鏡筒が撮影時の状態の１つであるＴＥＬＥ位置にあるときの断面図である。
【発明を実施するための形態】
【００１１】
以下、本発明の実施形態について、添付図面を参照して詳細に説明する。
【００１２】
図１は、本発明の実施形態に係る撮像装置１００の外観斜視図である。なお、本発明に係る撮像装置は、図１に示した撮像装置１００の外観構成を有するものに限定されるものではない。
【００１３】
撮像装置１００のカメラ本体１の前面には、撮影レンズ（不図示）の焦点距離を変更可能な撮影レンズ鏡筒２が配置されている。撮影レンズ鏡筒２の前面には、撮像装置１００の電源ＯＮ／ＯＦＦに従って撮影レンズの光路を開閉するレンズバリア装置３が設けられている。カメラ本体１の上面には、被写体に照明光を照射するストロボ装置を構成する発光窓部４が配置されており、カメラ本体１の前面には、ファインダ窓５が設けられている。カメラ本体１の上面には、撮影準備動作（焦点調節動作、測光動作等）と撮影動作（フィルムやイメージセンサ（撮像素子）への露光）を開始させるためのレリーズボタン６が設けられている。
【００１４】
図２は、撮像装置１００が備える撮影レンズ鏡筒２の分解斜視図である。撮影レンズ鏡筒２は、１群鏡筒７（第１のレンズ保持枠）、絞りユニット８、２群鏡筒９（第２のレンズ保持枠）、カム環１０、直進筒１１、３群鏡筒１２、固定筒１３、撮像素子保持部材１４及び鏡筒駆動モータ１５を備える。
【００１５】
１群鏡筒７は、第１のレンズ群である１群撮影レンズＬ１（図６乃至１２参照）を保持し、レンズバリア装置３を備える。絞りユニット８は、１群鏡筒７の内径側に配置されており、光量を調節する絞り機構（光量調整部材）を備える。２群鏡筒９は、１群鏡筒７の内径側に配置されており、第２のレンズ群である２群撮影レンズＬ２（図６乃至１２参照）を保持し、防振レンズ機構とシャッタ機構（光量調整部材）を備える。カム環１０は、１群鏡筒７、絞りユニット８及び２群鏡筒９を駆動するための駆動カムを内周部に備えると共に、鏡筒駆動モータ１５より動力を伝達されるギア部を有する。
【００１６】
直進筒１１は、１群鏡筒７、絞りユニット８及び２群鏡筒９を光軸方向に直進規制して案内する直進溝を有し、カム環１０に回転可能に保持されてカム環１０と一体的に光軸方向で移動する。３群鏡筒１２は、第３のレンズ群である３群撮影レンズＬ３（図６乃至１２参照）を保持する。固定筒１３は、内周部にカム環１０を駆動するための駆動カムを備える。撮像素子保持部材１４は、撮像素子（ＣＣＤセンサ或いはＣＭＯＳセンサ等の光電変換素子からなるイメージセンサ）を保持する。なお、本発明に係る撮影レンズ鏡筒は、以下に説明する本発明の特徴を満たす構成であればよく、図２に示される構成に限定されるものではない。
【００１７】
次に、絞りユニット８及び２群鏡筒９の構造について説明する。図３は、絞りユニット８及び２群鏡筒９の構造を示す外観斜視図である。図４（ａ）は、図３に示す絞りユニット８及び２群鏡筒９を被写体側から見た図（正面図）であり、図４（ｂ）は、図４（ａ）中の一点鎖線領域の拡大図である。図５（ａ）は、図３に示す絞りユニット８及び２群鏡筒９を撮像面側から見た図（背面図）であり、図５（ｂ）は、図５（ａ）中の一点鎖線領域の拡大図である。
【００１８】
図３に示すように、絞りユニット８は、大略的には、被写体側に配置されるカバー部材８１と、撮像面側に配置され、カム環１０のカム溝と係合する３箇所のフォロワ部８ｃを有するベース部材８２とで構成される。カバー部材８１とベース部材８２とは、不図示の絞り羽根や絞り駆動部材等を挟んで、ビス８ｄ等によって結合（固定）されている。
【００１９】
カバー部材８１には、被写体側に突出する第１の突起部８ａが６箇所に形成されている。６箇所の第１の突起部８ａのうちの３つは、１群鏡筒７に１２０°等分で３箇所に設けられているフォロワピン７ａと略同一位相であり、これらの３つの突起部と光軸を挟んで対向する位置に残りの３つの突起部が配置されている。つまり、６箇所の第１の突起部８ａは、６０°等分で等間隔に設けられている。
【００２０】
ベース部材８２には、フォロワピン７ａと略同一位相で、外径よりも外側に突出する第２の突起部８ｂが、６箇所に設けられている。図４に示されるように、第２の突起部８ｂは、第１の突起部８ａの撮像面側に位置しており、６箇所の第１の突起部８ａと６箇所の第２の突起部８ｂは、径方向に突出量Ｒ１で突出しているが、光軸方向において段差が無く、滑らかにつながっている。
【００２１】
２群鏡筒９は、防振機構とシャッタ機構を有している。２群鏡筒９は、被写体側に配置され、防振機構の位置センサを保持する保持部材９１と、撮像面側に配置され、カム環１０のカム溝と係合する３箇所のフォロワ部９ｃを有するベース部材９２とで構成される。保持部材９１とベース部材９２とは、不図示の防振レンズ等を挟んだ状態で、スナップフィット等の弾性部材による締結によって固定されている。２群鏡筒９は、ベース部材９２から撮像面側に突出するように形成された５箇所の突起部９ａと、保持部材９１から撮像面側に突出するように形成された１箇所の突起部９ａからなる、計６つの第３の突起部９ａ有する。６箇所の第３の突起部９ａのうち３箇所は、１群鏡筒７の１２０°等分で３箇所に設けられているフォロワピン７ａと略同一位相に配置され、これらの３箇所の突起部と光軸を挟んで対向する位置に残りの３箇所の突起部が配置されている。つまり、６箇所の第３の突起部９ａも、６０°等分で等間隔に設けられている。
【００２２】
保持部材９１には、フォロワピン７ａと同様の位相で、外径よりも外側に突出する第４の突起部９ｂが６箇所に設けられている。図５に示されるように、第４の突起部９ｂは、第３の突起部８ａの被写体側に位置しており、６箇所の第３の突起部９ａと６箇所の第４の突起部９ｂは、径方向に突出量Ｒ２で突出しているが、光軸方向において段差が無く、滑らかにつながっている。
【００２３】
絞りユニット８に設けられた第１の突起部８ａと第２の突起部８ｂの径方向の突出量Ｒ１と、２群鏡筒９に設けられた第３の突起部９ａと第４の突起部９ｂの径方向の突出量Ｒ２とは、段差がないように、Ｒ１＝Ｒ２であることが望ましい。ここで、絞りユニット８と２群鏡筒９とは多少の相対移動はあるものの、光軸方向にほぼ同様の動きをするため、大きく離間することはない。本実施形態では、Ｒ１＝Ｒ２とすることで、絞りユニット８から２群鏡筒９にかけての６箇所において、径方向に突出した第１乃至第４の突起部８ａ，８ｂ，９ａ，９ｂが、位相を合わせてほぼつながった構造をなしている。
【００２４】
なお、本実施形態では、２群鏡筒９の撮像面側に突出する６箇所の第３の突起部９ａが、保持部材９１とベース部材９２の両方から出されていた。但し、このような形態に限定されず、６箇所の第３の突起部９ａの全てが、ベース部材９２或いは保持部材９１のいずれか一方から出された構造となっていても構わない。また、本実施形態では、第１の突起部８ａと第３の突起部９ａをそれぞれ、１群鏡筒７に１２０°等分で設けられた３箇所のフォロワピン７ａと略同一位相の位置と、これらの位置と光軸を挟んで対向する位置の計６箇所に配置した。しかし、このような形態に限定されず、第１の突起部８ａと第３の突起部９ａをそれぞれ、フォロワピン７ａと略同一位相の３箇所だけに設けてもよい。
【００２５】
但し、本実施形態のようにフォロワピン７ａの位相と対向する位置にも第１の突起部８ａ及び／又は第３の突起部９ａが設けられていると、光軸方向の同じ範囲で径方向の隙間が更に詰まるため、衝撃時の偏芯や傾きを抑制する観点から有利となる。よって、耐衝撃性に関して、第１の突起部８ａ及び／又は第３の突起部９ａは、フォロワピン７ａと同位相の３箇所だけであってもよいが、更に対向する位置の計６箇所に形成した方が、更に大きな耐衝撃性が得られる。
【００２６】
次に、撮影レンズ鏡筒２にズーム動作を行わせたときの絞りユニット８と２群鏡筒９の動きについて説明する。図６は、撮影レンズ鏡筒２の非撮影状態である沈胴状態を示す断面図である。図７は、撮影レンズ鏡筒２が撮影状態の１つであるＷＩＤＥ位置（広角位置）にあるときの断面図であり、撮影レンズ鏡筒２に衝撃力が加えられていない状態を示している。図８は、参考例に係る撮影レンズ鏡筒が撮影状態の１つであるＷＩＤＥ位置にあるときの断面図であり、被写体側から撮影レンズ鏡筒２に衝撃力が加えられたときの状態を示している。図９は、撮影レンズ鏡筒２が撮影状態の１つであるＴＥＬＥ位置（望遠位置）にあるときの断面図であり、撮影レンズ鏡筒２に衝撃力が加えられていない状態を示している。図１０は、参考例に係る撮影レンズ鏡筒が撮影状態の１つであるＴＥＬＥ位置にあるときの断面図であり、被写体側から撮影レンズ鏡筒２に衝撃力が加えられたときの状態を示している。
【００２７】
なお、図６，７，９の断面図は、１群鏡筒７のフォロワピン７ａの中心と光軸を含む平面で切っているため、絞りユニット８の第１の突起部８ａと２群鏡筒９の第３の突起部９ａとフォロワピン７ａとの位置関係がわかるようになっている。また、図８及び図１０に示す参考例に係る撮影レンズ鏡筒は、本実施形態に係る撮影レンズ鏡筒２と比較すると、後述するように、絞りユニットと２群鏡筒の構造が異なる。そこで、撮影レンズ鏡筒２が備える絞りユニット８及び２群鏡筒９に対して、図８及び図１０に示す参考例に係る撮影レンズ鏡筒は、絞りユニット８´及び２群鏡筒９´を備えるものとする。図８及び図１０も、図７及び図９と容易に対比可能とするために、図７及び図９と同様に、１群鏡筒７のフォロワピン７ａの中心と光軸を含む平面で切って示されている。
【００２８】
撮影レンズ鏡筒２は、図６に示す沈胴状態では、カメラ本体１に対して完全に繰り込んでいる。そのため、落下等により撮影レンズ鏡筒２に衝撃が加わっても、撮影レンズ鏡筒２の一部が直接に衝撃を受けることはない。前述したように、１群鏡筒７においてフォロワピン７ａの内側には直進筒１１があり、更にその内側に２群鏡筒９において撮像面側に突出するように設けられた第３の突起部９ａが位置している。また、フォロワピン７ａと同位相に絞りユニット８の第１の突起部８ａと２群鏡筒９の第３の突起部９ａが配置されているため、フォロワ直下とその対向する位置には光軸方向に連続する受け部がつながっている。そのため、仮に撮影レンズ鏡筒２の一部が直接に衝撃を受けたとしても、各部品間にずれや脱落が生じることはない。
【００２９】
図７に示すように、撮像装置１００の電源がＯＮされて撮影レンズ鏡筒２が繰り出されると、１群鏡筒７に保持されている１群撮影レンズＬ１と２群鏡筒９に保持されている２群撮影レンズＬ２が、光軸方向に広い間隔を保って維持される。３群鏡筒１２が保持する３群撮影レンズＬ３を含めた、本実施形態のような３群タイプの光学レンズ系では、レンズスペックを上げるためにズーム倍率を稼ごうとすると、ＷＩＤＥ位置で１群撮影レンズＬ１と２群撮影レンズＬ２とがより離れるように構成される。つまり、同じカム環１０に切られている１群鏡筒７のＷＩＤＥ位置のカム溝はより被写体側に位置し、２群鏡筒９のＷＩＤＥ位置のカム溝はより撮像面側に位置して、絞りユニット８も２群鏡筒９とほぼ同じ動きをする。そのため、１群鏡筒７のフォロワピン７ａの内側には、構造物が無くなる可能性が高くなる。
【００３０】
このような状態において前方（被写体側）から衝撃が加わったときの耐衝撃性について検討する。図８に示す参考例に係る撮影レンズ鏡筒では、１群鏡筒７のフォロワピン７ａを直進筒１１の先端でしか受けていない。つまり、径方向において、絞りユニット８´が直進筒１１を介してフォロワピン７ａを受ける構造とはなっていない。この場合、前方（被写体側）から衝撃が加わると、カム環１０のカム溝１０ａの撮像面側テーパー部によって、１群鏡筒７のフォロワピン７ａが内側に入り込み、カム溝１０ａから脱落してしまう可能性が高く、一度、フォロワピン７ａが脱落すると、通常動作では復帰できずにレンズエラーとなる。このようになってしまうと、ユーザはどうすることもできなくなり、例えば、メーカのサービスステーションに修理を依頼する等の対応が必要となる。
【００３１】
これに対して、本実施形態に係る撮影レンズ鏡筒２では、図７に示すように、径方向において、１群鏡筒７のフォロワピン７ａを直進筒１１の先端で受け、更にその内側を絞りユニット８の第１の突起部８ａで受ける構造となっている。そのため、前方（被写体側）から衝撃が加わっても、１群鏡筒７のフォロワピン７ａが、カム環１０のカム溝１０ａから脱落する可能性が小さくなる。このとき、第１の突起部８ａの高さが全周に形状がつながった部分から短ければ短いほど剛性は高くなるため、このような構成を採用することにより、１群鏡筒７のフォロワピン７ａの脱落防止効果を更に高めることができる。
【００３２】
ＷＩＤＥ位置からＴＥＬＥ位置へ向けてズーム操作を行うと、１群鏡筒７は、一旦、撮像面側に繰り込んだ後に再び被写体側に繰り出すＵ字型の挙動を示し、絞りユニット８と２群鏡筒９は、ほぼリニアに繰り出し方向に動き続ける。その間、１群鏡筒７のフォロワピン７ａの内側は、直進筒１１を介してその内側の絞りユニット８の第１の突起部８ａから第２の突起部８ｂへ、更に２群鏡筒９の第４の突起部９ｂから第３の突起部９ａへと移り変わりながら、必ず径方向で二重に受けられる構造となっている。
【００３３】
図９に示すように、撮影レンズ鏡筒２がＴＥＬＥ位置まで繰り出されると、１群鏡筒７に保持されている１群撮影レンズＬ１と２群鏡筒９に保持されている２群撮影レンズＬ２とが、光軸方向に間隔を限りなく縮めて維持される。前述のＷＩＤＥ側での状況は、ＴＥＬＥ側でも同様であり、３群タイプの光学レンズ系においては、レンズスペックを上げるためにズーム倍率を稼ごうとすると、ＴＥＬＥ位置で１群撮影レンズＬ１と２群撮影レンズＬ２とをより近付けるように構成される。つまり、同じカム環１０に切られている１群鏡筒７のＴＥＬＥ位置のカム溝と２群鏡筒９のＴＥＬＥ位置のカム溝は、被写体側の位置で隣接しており、絞りユニット８も２群鏡筒９とほぼ同じ動きをする。そのため、１群鏡筒７の内側に絞りユニット８と２群鏡筒９とが入り込んで密集し、フォロワピン７ａの内側には構造物が無くなる可能性が高くなる。
【００３４】
このような状態において前方（被写体側）から衝撃が加わったときの耐衝撃性について検討する。図１０に示す参考例に係る撮影レンズ鏡筒では、１群鏡筒７のフォロワピン７ａを直進筒１１の先端でしか受けていない構造となっている。つまり、径方向において、２群鏡筒９´が直進筒１１を介してフォロワピン７ａを受ける構造とはなっていない。この場合、ＷＩＤＥ側と同様に、前方（被写体側）から衝撃が加わると、カム環１０のカム溝１０ａの撮像面側テーパー部によって、１群鏡筒７のフォロワピン７ａが内側に入り込み、カム溝１０ａから脱落してしまう可能性が高い。
【００３５】
これに対して、本実施形態に係る撮影レンズ鏡筒２では、図９に示すように、径方向において、１群鏡筒７のフォロワピン７ａを直進筒１１の先端で受け、更にその内側を２群鏡筒９の第３の突起部９ａで受ける構造となっている。そのため、前方（被写体側）から衝撃が加わっても、１群鏡筒７のフォロワピン７ａが、カム環１０のカム溝１０ａから脱落する可能性が小さくなる。このとき、第３の突起部９ａの高さが全周に形状がつながった部分から短ければ短いほど剛性が高くなるため、このような構成を採用することにより、１群鏡筒７のフォロワピン７ａの脱落防止効果を更に高めることができる。
【００３６】
次に、図１１及び図１２を参照して、上述した撮影レンズ鏡筒２を、直進筒１１が１群鏡筒７の外径側に配置される構造に変更した場合の耐衝撃性について説明する。図１１は、撮影レンズ鏡筒２の変形例である撮影レンズ鏡筒２Ａが撮影時の状態の１つであるＷＩＤＥ位置にあるときの断面図である。図１２は、撮影レンズ鏡筒２Ａが撮影時の状態の１つであるＴＥＬＥ位置にあるときの断面図である。
【００３７】
撮影レンズ鏡筒２Ａは、前述した撮影レンズ鏡筒２と比較すると、直進筒１１が１群鏡筒７の外径側に配置されている点でのみ異なっており、その他の構成は同じである。例えば、撮影レンズ鏡筒２では、図７に示されるように、径方向の内側から順に、絞りユニット８及び２群鏡筒９、直進筒１１、１群鏡筒７、カム環１０が配置される。これに対して、撮影レンズ鏡筒２Ａでは、図１１に示されるように、径方向の内側から順に、絞りユニット８及び２群鏡筒９、１群鏡筒７、直進筒１１、カム環１０が配置される。
【００３８】
撮影レンズ鏡筒２では、ＷＩＤＥ位置において衝撃時に１群鏡筒７のフォロワピン７ａが径方向の内側に入り込んでカム環１０のカム溝１０ａから脱落しようとするのを、その内側に配置される直進筒１１を介して更にその内側で絞りユニット８の第１の突起部８ａが受ける構成とすることで防止した（図７参照）。これに対して、撮影レンズ鏡筒２Ａでは、図１１に示されるように、１群鏡筒７のフォロワピン７ａをその内側で絞りユニット８の第１の突起部８ａが直接受ける構成としている。そのため、第１の突起部８ａが無く、１群鏡筒７のフォロワピン７ａを受ける部材が何も無い構成よりも、耐衝撃性を高めることができる。
【００３９】
また、撮影レンズ鏡筒２では、ＴＥＬＥ位置において衝撃時に１群鏡筒７のフォロワピン７ａが径方向の内側に入り込んでカム環１０のカム溝１０ａから脱落しようとするのを、その内側に配置される直進筒１１を介して更にその内側で２群鏡筒９の第３の突起部９ａが受ける構成とすることで防止した（図９参照）。これに対して、撮影レンズ鏡筒２Ａでは、図１２に示されるように、１群鏡筒７のフォロワピン７ａをその内側で２群鏡筒９の第３の突起部９ａが直接受ける構成としている。そのため、第３の突起部９ａが無く、１群鏡筒７のフォロワピン７ａを受ける部材が何も無い構成よりも、耐衝撃性を高めることができる。
【００４０】
なお、撮影レンズ鏡筒２，２Ａについて、ＴＥＬＥ位置からＷＩＤＥ位置へのズーム操作は、上記の説明による各部品の動作を全て逆に辿るだけでよいので省略する。
【００４１】
以上、本実施形態によれば、１群鏡筒７のフォロワピン７ａがカム環１０のカム溝１０ａから脱落しようとするのを、絞りユニット８及び２群鏡筒９に設けた第１乃至第４の突起部８ａ，８ｂ，９ａ，９ｂより抑制することができる。これにより、撮影レンズ鏡筒２の耐衝撃性を向上させて、信頼性を高めることができる。また、本実施形態によれば、撮影レンズ鏡筒２，２Ａを構成する各部品の径を大きくする必要がないため、撮影レンズ鏡筒２，２Ａが大型化することはなく、よって、撮像装置１００の大型化を回避することができる。
【００４２】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。例えば、上記説明では、３群レンズ構成の撮影レンズ鏡筒について説明したが、より多くのレンズ群からなる構成であってもよい。また、撮影レンズ鏡筒２，２Ａは、被写体側に絞りユニット８が、撮像面側に２群鏡筒９がそれぞれ配置された構成としたが、本発明はこのような構成に限定されるものでもない。つまり、本発明の特徴を満たす構成であれば、被写体側にレンズ保持枠が、撮像面側に絞りシャッタ等がそれぞれ配置される等の各種の光量調整部材の組み合わせであってもよい。
【符号の説明】
【００４３】
２，２Ａ    撮影レンズ鏡筒
７      １群鏡筒
７ａ    フォロワピン
８      絞りユニット
８ａ    第１の突起部
８ａ    第２の突起部
９      ２群鏡筒
９ａ    第３の突起部
９ｂ    第４の突起部
１０    カム環
１０ａ  カム溝
１１    直進筒
１００  撮像装置
【図１】
2015028526.tif 000003
【図２】
2015028526.tif 000004
【図３】
2015028526.tif 000005
【図４】
2015028526.tif 000006
【図５】
2015028526.tif 000007
【図６】
2015028526.tif 000008
【図７】
2015028526.tif 000009
【図８】
2015028526.tif 000010
【図９】
2015028526.tif 000011
【図１０】
2015028526.tif 000012
【図１１】
2015028526.tif 000013
【図１２】
2015028526.tif 000014